(57)【要約】【課題】装置の起動後に設定を変更するための操作を行うことなくユーザの所望の設定を実行できる映像出力装置を提供する。【解決手段】スタンバイ状態に移行前の設定値である第１の設定情報と、ユーザを示す識別情報に対応づけられた第２の設定情報と、を記録する記録部と、識別情報の入力の有無を判断する判断部と、識別情報の入力があると判断されると、映像出力装置が前記スタンバイ状態から起動状態に移行する際、第２の設定情報をもとに起動状態に移行する際の設定を行い、識別情報の入力がないと判断されると、映像出力装置が前記スタンバイ状態から起動状態に移行する際、第１の設定情報をもとに起動状態に移行する際の設定を行なう設定部と、を有する。【選択図】図２
2015149699.tif 000002
【特許請求の範囲】
【請求項１】
映像を出力する映像出力装置であって、
スタンバイ状態に移行前の設定値である第１の設定情報と、ユーザを示す識別情報に対応づけられた第２の設定情報と、を記録する記録部と、
前記識別情報の入力の有無を判断する判断部と、
前記識別情報の入力があると判断されると、前記映像出力装置が前記スタンバイ状態から起動状態に移行する際、前記第２の設定情報をもとに前記起動状態に移行する際の設定を行い、前記識別情報の入力がないと判断されると、前記映像出力装置が前記スタンバイ状態から起動状態に移行する際、前記第１の設定情報をもとに前記起動状態に移行する際の設定を行なう設定部と、
を有することを特徴とする映像出力装置。
【請求項２】
ユーザからの操作入力を受付けて、前記第２の設定情報を前記記録部に記録する登録部を、有することを特徴とする請求項１に記載の映像出力装置。
【請求項３】
前記判断部は、ユーザからの操作入力を受信し、受信した前記操作入力の組合せをもとに前記識別情報の入力を判断する、ことを特徴とする請求項１または請求項２のいずれかに記載の映像出力装置。
【請求項４】
前記記録部は、前記第２の設定情報を記録する着脱可能な外部メモリを有し、
前記判断部は、前記外部メモリに前記第２の設定情報が記録されている場合に、前記識別情報の入力があると判断する、ことを特徴とする請求項１または請求項２のいずれかに記載の映像出力装置。
【請求項５】
前記判断部は、ＬＡＮを介して携帯端末からの操作入力を受信し、
前記識別情報は、前記携帯端末から送信されるコマンドに含まれる識別ＩＤである、ことを特徴とする請求項１または請求項２のいずれかに記載の映像出力装置。
【請求項６】
音声出力を行う音声出力部と、
画像を出力する画像出力部と、を有し、
前記第１の設定情報および前記第２の設定情報は、前記音声出力部により出力される音声の設定、および前記画像出力部により出力される画像の設定の少なくとも１つを含む、ことを特徴とする請求項１から請求項５のいずれか一項に記載の映像出力装置。
【請求項７】
電子番組表を表示する表示手段を有し、
前記第１の設定情報および前記第２の設定情報は、前記表示手段により表示されるチャンネルを選択する情報である、ことを特徴とする請求項１から請求項６のいずれか一項に記載の映像出力装置。
【請求項８】
映像出力装置と、前記映像出力装置を遠隔操作するリモコン装置と、を有する映像出力システムであって、
前記映像出力装置は、
スタンバイ状態に移行前の設定値である第１の設定情報と、ユーザを示す識別情報に対応づけられた第２の設定情報と、を記録する記録部と、
前記識別情報の入力の有無を判断する判断部と、
前記識別情報の入力があると判断されると、前記映像出力装置が前記スタンバイ状態から起動状態に移行する際、前記第２の設定情報をもとに前記起動状態に移行する際の設定を行い、前記識別情報の入力がないと判断されると、前記映像出力装置が前記スタンバイ状態から起動状態に移行する際、前記第１の設定情報をもとに前記起動状態に移行する際の設定を行なう設定部と、
を有することを特徴とする映像出力システム。
【請求項９】
映像出力装置をスタンバイ状態から起動させる映像出力装置の起動方法であって、
ユーザを示す識別情報の入力の有無を判断する判断ステップと、
前記識別情報の入力があると判断されると、前記映像出力装置が前記スタンバイ状態から起動状態に移行する際、前記識別情報に対応づけられた第２の設定情報をもとに前記起動状態に移行する際の設定を行い、前記識別情報の入力がないと判断されると、前記映像出力装置が前記スタンバイ状態から起動状態に移行する際、現在の設定値である第１の設定情報をもとに前記起動状態に移行する際の設定を行なう設定ステップと、
を有することを特徴とする映像出力装置の起動方法。
【発明の詳細な説明】
【技術分野】
【０００１】
本発明は、映像を出力する映像出力装置に関し、設定値を変更することができる映像出力装置に関する。
【背景技術】
【０００２】
従来、表示装置などの映像出力装置では、画質、音質などの設定情報を可変することができる。また、映像出力装置は、電源オフ時（スタンバイ時）に、設定情報を保持するラストメモリ機能を有するものも知られている。このラストメモリ機能では、電源がオフされるまでの映像出力装置の最新の設定情報をメモリに記録する。そして、映像出力装置の電源がオンされるとメモリに記録された設定情報を読み出し、電源オフ前の最新の設定を再現する。
【０００３】
また、電源がオフされる直前の音量をメモリに記録しておき、電源オフ（スタンバイ状態）時に、メモリに記録された音量を表示するものも知られている（例えば、特許文献１）。
【先行技術文献】
【特許文献】
【０００４】
【特許文献１】特開２０１２−２５７１７１号公報
【発明の概要】
【発明が解決しようとする課題】
【０００５】
しかし、ラストメモリ機能を備える映像出力装置では、映像出力装置の起動後にユーザが映像出力装置の設定を調整する必要があった。即ち、複数のユーザが映像出力装置を使用する場合、映像出力装置の設定は、ラストメモリ機能により電源がオフされるまでの最新のものが保存されるため、この設定を好まないユーザは、映像出力装置の起動後に設定を変更する必要がある。
【０００６】
本発明は、上記課題にかんがみてなされたもので、装置の起動後に設定を変更するための操作を行うことなくユーザの所望の設定を実行できる映像出力装置を提供することを目的とする。
【課題を解決するための手段】
【０００７】
適用例１
上記課題を解決するために、本発明の一態様では、映像を出力する映像出力装置であって、スタンバイ状態に移行前の設定値である第１の設定情報と、ユーザを示す識別情報に対応づけられた第２の設定情報と、を記録する記録部と、前記識別情報の入力の有無を判断する判断部と、前記識別情報の入力があると判断されると、前記映像出力装置が前記スタンバイ状態から起動状態に移行する際、前記第２の設定情報をもとに前記起動状態に移行する際の設定を行い、前記識別情報の入力がないと判断されれば、前記映像出力装置が前記スタンバイ状態から起動状態に移行する際、前記第１の設定情報をもとに前記起動状態に移行する際の設定を行なう設定部と、を有する。
【０００８】
上記のように構成された発明では、判断部が識別情報の入力を判断すれば、映像出力装置がスタンバイ状態から起動状態に移行する際、設定部は識別情報に対応づけられた第２の設定情報をもとに設定を行う。一方、判断部が識別情報の入力がないと判断すれば、映像出力装置がスタンバイ状態から起動状態に移行する際、設定部は第１の設定情報をもとに設定を行なう。
そのため、装置の起動後にユーザが設定を変更することなくユーザの所望の設定を実行できる。
【０００９】
ここで、記録部は、メモリ等の物理的に１つの部品で構成されるもののみならず、複数のメモリの集合により構成されるものであってもよい。
また、設定情報とは、映像出力装置の動作に関する設定を含み、例えば、画質、音質、表示設定等を含む。
【００１０】
適用例２
本発明の一態様では、ユーザからの操作入力を受付けて、前記第２の設定情報を前記記録部に記録する登録部を、有する。
上記のように構成された発明では、ユーザが設定した第２の設定情報を登録することができるため、ユーザの所望とする起動時の設定をユーザの所望とするものにすることができる。
【００１１】
適用例３
本発明の一態様では、前記判断部は、ユーザからの操作入力を受信し、受信した前記操作入力の組合せをもとに前記識別情報の入力を判断する。
上記のように構成された発明では、操作入力の組み合わせにより識別情報を設定することができるため、操作性を高めることができる。
【００１２】
適用例４  
本発明の一態様では、前記記録部は、前記第２の設定情報を記録する着脱可能な外部メモリを有し、前記判断部は、前記外部メモリに前記第２の設定情報が記録されている場合に、前記識別情報の入力があると判断する。
上記のように構成された発明では、外部メモリにユーザ毎の設定情報が記録されている場合でも、本発明を適用することができ、ユーザの利便性を高めることができる。
【００１３】
適用例５
本発明の一態様では、前記判断部は、ＬＡＮを介して携帯端末からの操作入力を受信し、前記識別情報は、前記携帯端末から送信されるコマンドに含まれる識別ＩＤである。
上記のように構成された発明では、携帯端末から送信されるコマンドにより、本発明を実現することができる。
【００１４】
適用例６
本発明の一態様では、音声出力を行う音声出力部と、画像を出力する画像出力部と、を有し、前記第１の設定情報および前記第２の設定情報は、前記音声出力部により出力される音声の設定、および前記画像出力部により出力される画像の設定の少なくとも１つを含む。
上記のように構成された発明では、画質や音質の設定において、本発明を適用することができる。
【００１５】
適用例７
本発明の一態様では、電子番組表を表示する表示手段を有し、前記第１の設定情報および前記第２の設定情報は、前記表示手段により表示されるチャンネルを選択する情報である。
上記のように構成された発明では、電子番組表の表示設定において、本発明を適用することができる。
【００１６】
また、本発明は装置単体として捉えるのみならず、本発明の構成を備えるシステムや、方法としても捉えることができる。
【図面の簡単な説明】
【００１７】
【図１】表示装置１０の外観図。
【図２】表示装置１０の機能を説明する機能ブロック図。
【図３】表示装置１０がスタンバイ状態から起動状態へ移行する際の変化を説明する図。
【図４】表示装置１０のハードウェア構成を説明するブロック図。
【図５】表示装置１０の登録部１６が実行する処理を示すフローチャート。
【図６】表示装置１０に表示される画面を示す図。
【図７】表示装置１０の起動時に応じて実行される処理を説明するフローチャート。
【図８】表示装置１０の設定の変化を説明する図。
【図９】第２の実施形態に係る表示装置１０のハードウェア構成を説明するブロック図。
【図１０】表示装置１０の起動時に実行される処理を説明するフローチャート。
【図１１】映像出力システム１００の外観図。
【図１２】携帯端末６０から出力されるコマンドの構成を示す図。
【図１３】表示装置１０の起動時に実行される処理を説明するフローチャート。
【発明を実施するための形態】
【００１８】
以下、下記の順序に従って本発明の実施形態を説明する。
１．第１の実施形態：
（１）映像出力装置の構成
（２）設定情報の登録方法
（３）起動方法
２．第２の実施形態：
３．第３の実施形態：
４．その他の実施形態：
【００１９】
１．第１の実施形態：
（１）映像出力装置の構成
この第１の実施形態では、映像出力装置として表示装置１０を例に説明を行う。図１は、表示装置１０の外観図である。
表示装置１０は、筺体１１の全面に映像を表示する表示パネル１２を露出させた状態で配置している。また、表示装置１０は、リモコン装置４０を備える。ユーザがリモコン装置４０を操作することで、表示装置１０の電源をオン・オフを切替えるコマンドを表示装置１０に送信することができる。ここで、表示装置１０の電源がオフしている状態をスタンバイ状態と記載する。スタンバイ状態では、表示装置１０はリモコン装置４０等からのコマンド（入力）を監視しており、リモコン装置４０からＰ−ＯＮコマンドが入力すると、起動状態に移行する。起動状態では、リモコン装置４０から送信されるコマンドを受信することで、表示パネル１２に表示される入力の切替えや、音量の調整等が行われる。
さらに、表示装置１０は、外部メモリ５０と着脱可能に接続することができる。
【００２０】
図２は、表示装置１０の機能を説明する機能ブロック図である。また、図３は、表示装置１０がスタンバイ状態から起動状態へ移行する際の変化を説明する図である。
表示装置１０は、記録部１３、判断部１４、設定部１５、登録部１６と、を備える。
【００２１】
まず、表示装置１０では、ユーザが表示装置１０の電源をオフすると、表示装置１０をスタンバイ状態に移行する。
判断部１４は識別情報の入力の有無を判断する。判断部１４が判断する識別情報の入力の有無は、リモコン装置４０から入力されるコマンドに基づくものであってもよいし、表示装置１０に接続された外部メモリ５０が識別情報を記録しているか否かであってもよい。ここで、識別情報は、入力を行ったユーザを識別するための情報である。
【００２２】
設定部１５は、判断部１４による判断結果に応じて表示装置１０の起動時における設定を変化させる。判断部１４が識別情報の入力がないと判断すれば、設定部１５は、スタンバイ状態から起動状態に移行する際、第１の設定情報をもとに表示装置１０の設定を行なう。設定情報は、表示装置１０における画質の設定、音質の設定、最初に表示されるチャンネル、さらには、ＥＰＧで表示されるチャンネルの設定を行なうための設定値である。また、第１の設定情報は、例えば、ラストメモリ機能により記録される設定値である。
図３（ａ）では、第１の設定情報を反映させて、設定部１５は、起動時の表示チャンネルを１とし、画質設定を『ノーマル』、音質設定を『ノーマル』、ＥＰＧで表示されるチャンネルを『フル』としている。
【００２３】
一方、判断部１４が識別情報の入力があると判断すれば、設定部１５は、スタンバイ状態から起動状態に移行する際、識別情報に対応づけられた第２の設定情報をもとに表示装置１０の設定を行う。ここで、第２の設定情報は、登録処理（後述）によりユーザにより登録される設定値である。例えば、図３（ｂ）では、第２の設定情報を反映させて、設定部１５は、起動時の表示チャンネルを５とし、画質設定を『シネマ』、音質設定を『シネマ』、ＥＰＧで表示されるチャンネルを『１、５、１０』としている。
【００２４】
ここで、第１および第２の設定情報は、記録部１３に記録されている。記録部１３としては、表示装置１０の筺体１１内部に実装される内部メモリ以外にも、外部メモリ５０であってもよい。また、記録部１３に記録される第２の設定情報は、登録部１６により登録が行われる。
【００２５】
その後、表示装置１０は、起動状態への移行が完了すると、例えば、所定の画像を表示する。
【００２６】
次に、図２に示す各機能を実現する表示装置１０のハードウェア構成を説明する。図４は、表示装置１０のハードウェア構成を説明するブロック図である。
表示装置１０は、チューナ２０、デコーダ１８、映像処理部１９、表示パネル１２、音声処理部２１、スピーカ２２、ＣＰＵ２３、ＲＡＭ２４、ＲＯＭ２５、リモコン受信部２６、ＶＲＡＭ２７、メモリコントローラ２８、電源供給回路２９、バス３０と、を含む。
【００２７】
チューナ２０は、テレビジョン放送波を受信し、このテレビジョン放送波からコンテンツに対応する映像信号と音声信号とを抽出する。デコーダ１８は、チューナ２０により抽出された映像信号と音声信号とを復調する。映像処理部１９は、デコーダ１８が復調した映像信号に対して画素数変換処理や、設定情報に応じた信号処理を施す。また、音声処理部２１は、デコーダ１８が復調した音声信号に対して設定情報に応じた処理を施す。
【００２８】
映像処理部１９の出力側は表示パネル１２に接続されている。表示パネル１２は、映像処理部１９により信号処理が施された映像信号をもとに映像を表示する。表示パネル１２は、例えば、液晶型パネル、有機ＥＬ型パネルである。本発明の画像出力部は、映像処理部１９および表示パネル１２により実現される。
【００２９】
音声処理部２１の出力側はスピーカ２２に接続されている。スピーカ２２は、音声処理部２１により信号処理が施された音声信号をもとに音声を出力する。
図４では、スピーカ２２は表示装置１０の一部として記載しているが、スピーカ２２を表示装置１０とは別の装置により構成されるものであってもよい。本発明の音声出力部は、音声処理部２１およびスピーカ２２により実現される。
【００３０】
ＣＰＵ２３は、バス３０を介して表示装置１０の各部と接続されており、表示装置１０の駆動を統合的に制御する。また、ＣＰＵ２３は、ＲＯＭ２５に記録された設定プログラムをＲＡＭ２４に展開して実行することで、図２に示す、判断部１４、設定部１５、登録部１６を実現する。
【００３１】
また、バス３０には、ＶＲＡＭ２７が接続されている。ＶＲＡＭ２７は、ラストメモリ１０１、第１ユーザ設定１０２、第２ユーザ設定１０３、ＥＰＧ情報１０４、識別テーブル１０５を記録している。本実施形態では、ＶＲＡＭ２７が記録部１３として機能する。そして、ラストメモリ１０１が第１の設定情報であり、第１ユーザ設定１０２または第２ユーザ設定１０３が第２の設定情報である。識別テーブル１０５は、識別情報と第１ユーザ設定１０２および第２ユーザ設定１０３を関連づけるテーブルである。
また、ＣＰＵ２３が、ＥＰＧ情報１０４をもとに表示パネル１２にＥＰＧを表示させることで、本発明の表示手段が実現される。
【００３２】
また、バス３０には、リモコン装置４０からのコマンドを受信するリモコン受信部２６、外部メモリ５０と着脱可能に接続するメモリコントローラ２８、が接続されている。リモコン受信部２６は、リモコン装置４０からの信号をコマンドに変換し、バス３０を通じてＣＰＵ２３に出力する。例えば、リモコン受信部２６が受信する信号は赤外線信号やＲＦ（Radio Frequency）信号である。
また、リモコン装置４０がスマートフォン等の携帯端末により実現される場合、表示装置１０は携帯端末との間で無線通信が可能なＬＡＮモジュールを備えるものであってもよい。
【００３３】
また、バス３０には、表示装置１０の各部に電源を供給する電源供給回路２９が接続されている。電源供給回路２９は、図示しない電源ラインを介して各部に電力を供給する。また、ＣＰＵ２３の機能により、起動状態からスタンバイ状態に移行する場合、各部に供給する電源を低電圧のものに変化させる。
【００３４】
（２）設定情報の登録方法
次に、表示装置１０の登録部１６により実行される設定情報を登録するための処理を説明する。図５は、表示装置１０の登録部１６が実行する処理を示すフローチャートである。また、図６は、表示装置１０に表示される画面を示す図である。図５に示すフローチャートは、表示装置１０のＶＲＡＭ２７に第１ユーザ設定１０２を記録する場合を例に説明を行う。
【００３５】
ユーザがリモコン装置４０を操作して第１ユーザ設定１０２として登録させたい設定を表示装置１０に入力すると、ステップＳ１では、ＣＰＵ２３はこの入力を受付ける。例えば、このステップＳ１では、表示装置１０が起動した際、最初に表示されるチャンネル、画質設定、音質設定、さらにはＥＰＧの表示チャンネルの選択が行われる。
【００３６】
ユーザがリモコン装置４０を操作して、現在の表示装置１０の設定を第１ユーザ設定（設定情報）としての登録を促す入力を行うと（ステップＳ２：ＹＥＳ）、ＣＰＵ２３はステップＳ３に進む。
ステップＳ３では、ＣＰＵ２３は、表示パネル１２に対応付け画面２００を表示させて、ユーザ番号の入力を受付ける。対応付け画面２００は、表示装置１０の現在の設定を何番のユーザ番号に対応づけて登録させるかをユーザに入力させる画面である。また、ユーザ番号は、ユーザを識別するための情報である。図６（ａ）に示すように、対応付け画面２００には、現在の表示装置１０の設定に対応付けるユーザ番号を入力するボックスアイコン２０１と、入力をキャンセルする『戻る』アイコン２０２と、入力を確定（ＯＫ）とする『決定』アイコン２０３とがそれぞれ表示される。以下、ユーザが現在の表示装置１０の設定を第１ユーザ設定として登録するために、ボックスアイコン２０１に『１』を入力するものとする。
【００３７】
そして、ユーザがリモコン装置４０を操作して、アイコン２０３を操作してユーザ番号の登録を決定すると（ステップＳ４：ＹＥＳ）、ステップＳ５に進む。
ステップＳ５では、ＣＰＵ２３は、識別情報を登録するための識別情報入力画面２１０を表示パネル１２に表示させる。図６（ｂ）に示すように、識別情報入力画面２１０には、ユーザが表示装置１０に識別情報として認識させる操作入力を入力するためのアイコン２１１が表示される。また、識別情報入力画面２１０を用いた登録を完了する完了キー２１２が表示される。
【００３８】
この第１の実施形態では、登録部１６は、リモコン装置４０の操作キーの入力の組合せを識別情報とする。そのため、ユーザがリモコン装置４０を操作して、アイコン２１１に入力を行う。例えば、図６（ｂ）では、ユーザは、操作キーの入力の組合せとして、チャンネルキー『１』『２』『３』『４』…を識別情報として入力している。
【００３９】
ユーザが識別情報入力画面２１０に表示されたアイコン（『完了』）２１２を操作して識別情報の登録を決定すると（ステップＳ６：ＹＥＳ）、ステップＳ７に進む。ステップＳ７では、ＣＰＵ２３は、ＶＲＡＭ２７に記録された識別テーブル１０５を更新する。即ち、ＣＰＵ２３は、ステップＳ１で入力された設定情報と、ステップＳ５で入力された識別情報とを関連づけて識別テーブル１０５に記録する。
以上、設定情報の登録方法について説明した。
【００４０】
（３）起動方法
次に、表示装置１０の起動方法について説明を行う。
図７は、表示装置１０の起動時に応じて実行される処理を説明するフローチャートである。
【００４１】
表示装置１０は、スタンバイ状態において、リモコン装置４０からの入力を監視している。
リモコン受信部２６がリモコン装置４０からＰ−ＯＮコマンドまたは識別情報の入力を受信すると（ステップＳ１１：ＹＥＳ）、ステップＳ１２では、ＣＰＵ２３は、スタンバイ状態から起動状態への移行を開始する。
【００４２】
ステップＳ１３では、ＣＰＵ２３は、受信した入力を解析する。ＣＰＵ２３が解析を行う手法として、ＶＲＡＭ２７に記録された識別テーブル１０５をもとに解析を行う。
解析した入力がＰ−ＯＮコマンドである場合（ステップＳ１４：ＹＥＳ）、ステップＳ１５に進み、ＣＰＵ２３は、ＶＲＡＭ２７に記録されたラストメモリ１０１を読み出す。  
【００４３】
ステップＳ１７では、ＣＰＵ２３は読み出した設定情報（ラストメモリ１０１）をもとに、表示装置１０の設定を行なう。即ち、Ｐ−ＯＦＦ時の設定情報を記録するラストメモリ１０１の設定値が反映される。
【００４４】
一方、解析した入力がＰ−ＯＮコマンドでなければ（ステップＳ１４：ＮＯ）、ステップＳ１６に進み、ＣＰＵ２３は、解析した識別情報に対応する設定情報１０２、１０３をＶＲＡＭ２７から読み出す。一例として、表示装置１０はリモコン装置４０からユーザ番号『１』に対応する識別情報を受信すると、ＣＰＵ２３は、この識別情報に対応する設定情報である第１ユーザ設定１０２をＶＲＡＭ２７から読み出す。
【００４５】
ステップＳ１７では、ＣＰＵ２３は読み出した設定情報（第１ユーザ設定１０２）をもとに、表示装置１０の設定を行なう。即ち、登録処理によりユーザに設定値が登録された第１ユーザ設定１０２の設定値が反映される。
【００４６】
表示装置１０の設定が終了している場合（ステップＳ１８：ＹＥＳ）、ＣＰＵ２３は、起動状態への移行を完了させる。この状態で、例えば、表示パネル１２には画像（チャンネル）が表示される。
【００４７】
図８は、表示装置１０の設定の変化を説明する図である。図８は、一例として、画面に表示されるＥＰＧ情報の変化を示している。図８（ａ）は、ラストメモリ１０１の設定により画面に表示されるＥＰＧを示す。また、図８（ｂ）は、第１ユーザ設定１０２の設定により画面に表示されるＥＰＧを示す。
【００４８】
ユーザがリモコン装置４０操作してＰ−ＯＮコマンドを入力し、表示装置１０を起動したとする。この場合、ラストメモリ１０１の設定がＥＰＧの表示チャンネルを『フル』で設定している場合、ユーザがリモコン装置４０を操作してＥＰＧを表示させると、図８（ａ）に示すように、全てのチャンネルに対応する番組表がＥＰＧとして表示される。
【００４９】
一方、ユーザがリモコン装置４０を操作して識別情報を表示装置１０に入力して、表示装置１０を起動したとする。この場合、設定情報がＥＰＧの表示チャンネルを『１』『５』『１０』『２００』で設定している場合、ユーザがリモコン装置４０を操作してＥＰＧを表示させると、図８（ｂ）に示すように、設定情報に登録された『１』『５』『１０』『２００』のチャンネルに対応する番組表がＥＰＧとして表示される。
【００５０】
以上説明したように、この第１の実施形態では、スタンバイ状態の際に識別情報の入力があれば、スタンバイ状態から起動状態への移行の際、識別情報に対応づけられた第２の設定情報をもとに映像出力装置の設定を行う。そのため、装置の起動後にユーザが設定を変更することなくユーザの所望の設定を実行できる。
【００５１】
２．第２の実施形態：
この第２の実施形態では、識別情報に対応づけられた設定情報が外部メモリ５０に記録されている構成が他の実施形態と比べて異なる。即ち、記録部１３は、表示装置１０の内部に実装されるＶＲＡＭ２７の他、表示装置１０と着脱可能に接続される外部メモリ５０により構成されている。
【００５２】
図９は、第２の実施形態に係る表示装置１０のハードウェア構成を説明するブロック図である。なお、同じ符号を付した箇所は第１の実施形態と同様の構成でありその説明は省略する。
図９に示す、表示装置１０は、チューナ２０、デコーダ１８、映像処理部１９、表示パネル１２、音声処理部２１、スピーカ２２、ＣＰＵ２３、ＲＡＭ２４、ＲＯＭ２５、リモコン受信部２６、ＶＲＡＭ２７、メモリコントローラ２８、電源供給回路２９、バス３０と、を含む。
【００５３】
メモリコントローラ２８には、外部メモリ５０が着脱可能に接続される。外部メモリ５０が接続されている場合、メモリコントローラ２８は検出信号をバス３０を介してＣＰＵ２３に出力する。そして、外部メモリ５０には、第１ユーザ設定１０２と、第２ユーザ設定１０３とが記録されている。この第１ユーザ設定1０２と第２ユーザ設定１０３とは、第１の実施形態同様、ＣＰＵ２３（登録部１６）の機能により設定値が記録されている。一方、ＶＲＡＭ２７には、ラストメモリ１０１が記録されている。
そのため、この第２の実施形態では、記録部１３は、外部メモリ５０とＶＲＡＭ２７により実現される。
【００５４】
次に、表示装置１０の起動方法について説明を行う。
図１０は、表示装置１０の起動時に実行される処理を説明するフローチャートである。以下では、外部メモリ５０には第１ユーザ設定１０２が記録されているものとして説明を行う。
【００５５】
表示装置１０は、スタンバイ状態において、リモコン装置４０からの入力を監視している。
リモコン受信部２６がリモコン装置４０からのＰ−ＯＮコマンドを受信すると（ステップＳ２１：ＹＥＳ）、ステップＳ２２に進み、ＣＰＵ２３は、スタンバイ状態から起動状態への移行を開始する。
【００５６】
そして、外部メモリ５０が接続されており、ＣＰＵ２３が検出信号を受信している場合（ステップＳ２３：ＹＥＳ）、ステップＳ２４では、ＣＰＵ２３は、外部メモリ５０に記録された第１ユーザ設定１０２（設定情報）を確認する。すなわち、この第２の実施形態では、外部メモリ５０に設定情報が記録されている場合に、識別情報の入力が判断される。
【００５７】
外部メモリ５０に第１ユーザ設定１０２が記録されていれば（ステップＳ２５：ＹＥＳ）、ステップＳ２６では、ＣＰＵ２３は、外部メモリ５０に記録された第１ユーザ設定１０２を外部メモリ５０から読み出す。なお、外部メモリ５０に複数のユーザ設定が記録されている場合、ＣＰＵ２３は、各設定情報を解析した後、解析結果に応じて設定情報を外部メモリ５０から読み出すものであってもよい。
一方、外部メモリ５０に第１ユーザ設定１０２が記録されていなければ（ステップＳ２５：ＮＯ）、ステップＳ２７では、ＣＰＵ２３は、ＶＲＡＭ２７に記録されたラストメモリ１０１を読み出す。
【００５８】
ステップＳ２８では、ＣＰＵ２３は読み出した第１ユーザ設定１０２をもとに、表示装置１０の設定を行なう。即ち、外部メモリ５０またはＶＲＡＭ２７に記録されたいずれかの設定情報により設定が行なわれる。
【００５９】
表示装置１０の設定が終了している場合（ステップＳ２９：ＹＥＳ）、ＣＰＵ２３は、起動状態への移行を完了する。例えば、第１の実施形態同様、表示パネル１２には画像（チャンネル）が表示される。
【００６０】
以上説明したように、この第２の実施形態では、着脱可能に接続された外部メモリ５０に設定情報が記録されている場合に、この設定情報をもとに、ユーザ毎の設定を行なうことができるため、本発明の利便性を高めることができる。
【００６１】
３．第３の実施形態：
スマートフォン等の携帯端末が表示装置１０を操作するリモコン装置としての機能を備える場合、ＬＡＮを介して携帯端末から出力されるコマンドに含まれる情報を識別情報として用いてもよい。
【００６２】
図１１は、映像出力システム１００の外観図である。図１１に示すように、映像出力システム１００は映像出力装置としての表示装置１０と、リモコン装置として機能する携帯端末６０を有する。一例として、表示装置１０と携帯端末６０とは、無線ＬＡＮを介して接続されている。また、表示装置１０は、携帯端末６０と通信を行うためのＬＡＮモジュールを備える。
無論、表示装置１０と携帯端末６０とを接続するＬＡＮは、無線ＬＡＮ以外にもどの様なものであってもよい。
【００６３】
携帯端末６０は筺体６１の全面にタッチパネル６２を露出させて配置している。そして、携帯端末６０はタッチパネル６２に表示装置１０を操作するための操作キーを表示させることができる。そして、ユーザが携帯端末６０のタッチパネル６２を操作することで、表示装置１０の電源オン・オフ、チャンネルの切り替え、ＥＰＧ表示等を操作することができる。
【００６４】
図１２は、携帯端末６０から出力されるコマンドの構成を示す図である。
コマンド３００は、識別ＩＤ部３０１、コマンド部３０２、パラメータ部３０３と、を備える。識別ＩＤ部３０１は、携帯端末６０に設定されたＭＡＣアドレスで構成されている。また、コマンド部３０２には、コマンドの種類を示す情報により構成されている。そして、パラメータ部３０３は、コマンドのパラメータで構成されている。
この第３の実施形態では識別ＩＤ３０１に記録された情報が識別情報として機能する。
【００６５】
次に、表示装置１０の起動方法について説明を行う。
図１３は、表示装置１０の起動時に実行される処理を説明するフローチャートである。図１３に示す処理では、識別ＩＤ３０１には、識別テーブル１０５に記録された第１ユーザ設定１０２に対応する情報が記録されているものとする。
【００６６】
表示装置１０は、スタンバイ状態において、携帯端末６０からのコマンドを監視している。ＬＡＮモジュールを通じてＣＰＵ２３が携帯端末６０からのコマンドを受信すると（ステップＳ３１：ＹＥＳ）、ステップＳ３２では、ＣＰＵ２３は、受信したコマンドを解析する。具体的には、ＣＰＵ２３は、コマンド３００の識別ＩＤ３０１、コマンド部３０２をそれぞれ解析する。
【００６７】
コマンド３００のコマンド部３０２がＰ−ＯＮコマンドである場合（ステップＳ３３：ＹＥＳ）、ステップＳ３４に進み、ＣＰＵ２３は、スタンバイ状態から起動状態への移行を開始する。また、コマンド部３０２がＰ−ＯＮコマンドでなければ（ステップＳ３３：ＮＯ）、携帯端末６０から送信されたコマンドを無視する。
【００６８】
そして、ステップＳ３５において、ＣＰＵ２３は、識別ＩＤ３０１が識別テーブル１０５に登録されたものか否かを判断する。識別ＩＤが登録されたものでなければ（ステップＳ３５：ＮＯ）、ステップＳ３７に進み、ＣＰＵ２３は、ＶＲＡＭ２７に記録されたラストメモリ１０１を読み出す。ステップＳ３８では、ＣＰＵ２３は読み出したラストメモリ１０１をもとに、表示装置１０の設定を行なう。
【００６９】
一方、識別ＩＤ３０１が識別テーブル１０５に登録されたものであれば（ステップＳ３５：ＹＥＳ）、ＣＰＵ２３は、ステップＳ３６に進み、識別ＩＤに対応するユーザに対応づけられた第１ユーザ設定１０２をＶＲＡＭ２７から読み出す。ステップＳ３８では、ＣＰＵ２３は読み出した第１ユーザ設定１０２をもとに、表示装置１０の設定を行なう。
【００７０】
表示装置１０の設定が終了している場合（ステップＳ３９：ＹＥＳ）、ＣＰＵ２３は、起動状態への移行を完了する。例えば、第１の実施形態同様、表示パネル１２には画像（チャンネル）が表示される。
【００７１】
以上説明したように、この第３の実施形態では、携帯端末６０から送信されるコマンドにより、本発明を実現することができる。
【００７２】
４．その他の実施形態：
映像出力装置として、表示装置を例に説明を行ったのは一例にすぎない。映像出力装置は、ＨＤＤ等の記録部を備えるレコーダーや、携帯端末により実現されてもよい。
また、ユーザで登録可能な設定情報は、上記した実施形態に記載したものに限定されない。例えば、映像出力装置が表示装置である場合に、設定情報として、ユーザにコンテンツの視聴制限を行う情報であってもよい。
【００７３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７４】
１０…表示装置、１１…筺体、１２…表示パネル、１３…記録部、１４…判断部、１５…設定部、１６…登録部、１８…デコーダ、１９…映像処理部、２０…チューナ、２１…音声処理部、２２…スピーカ、２３…ＣＰＵ、２４…ＲＡＭ、２５…ＲＯＭ、２６…リモコン受信部、２７…ＶＲＡＭ、２８…メモリコントローラ、２９…電源供給回路、３０…バス、４０…リモコン装置、５０…外部メモリ、６０…携帯端末、６１…筺体、６２…タッチパネル、１００…映像出力システム、１０１…ラストメモリ、１０２…第１ユーザ設定、１０３…第２ユーザ設定、１０４…ＥＰＧ情報、１０５…識別テーブル
【図１】
2015149699.tif 000003
【図２】
2015149699.tif 000004
【図３】
2015149699.tif 000005
【図４】
2015149699.tif 000006
【図５】
2015149699.tif 000007
【図６】
2015149699.tif 000008
【図７】
2015149699.tif 000009
【図８】
2015149699.tif 000010
【図９】
2015149699.tif 000011
【図１０】
2015149699.tif 000012
【図１１】
2015149699.tif 000013
【図１２】
2015149699.tif 000014
【図１３】
2015149699.tif 000015